(57)【要約】【課題】  容易な調節により端末からの声を適切な音量で受信し、調節状況を確認する。【解決手段】  多地点間会議に参加している複数の端末１０２−１〜１０２−ｎを中継、制御する中継制御装置１０１内に設けられたＤＴＭＦ信号抽出命令解読部２０３−１〜２０３−ｎにおいて、端末１０２−１〜１０２−ｎから送信された音声データからＤＴＭＦ信号を抽出し、抽出されたＤＴＭＦ信号による命令を解読し、解読された命令にしたがって、ミキサ２０４−１〜２０４−ｎにおいてＤＴＭＦ信号が抽出された音声データの音量を調節し、調節した状況を通知する。これにより、自端末もしくは他の端末の音声データの音量を端末１０２−１〜１０２−ｎからそれぞれ調節することができ、その調節された音量調節状況について端末１０２−１〜１０２−ｎ上で確認することができる。【選択図】図２
2006148816.tif 000002
【特許請求の範囲】
【請求項１】
多地点間会議に参加する複数の端末を互いに接続して音声データの中継及び制御を行う中継制御装置であって、
前記端末から送信された音声データからＤＴＭＦ信号を抽出するＤＴＭＦ信号抽出手段と、
前記ＤＴＭＦ信号抽出手段によって抽出されたＤＴＭＦ信号による命令を解読する命令解読手段と、
前記命令解読手段によって解読された命令に基づいて、前記端末の音声データの音量を調節する音量制御手段とを有する中継制御装置。
【請求項２】
請求項１に記載した中継制御装置において、
前記音量制御手段は、音声データからＤＴＭＦ信号が抽出された端末以外の多地点間会議に参加する少なくとも１つの端末が出力する音声データのうち、ＤＴＭＦ信号が抽出された端末の音声データの音量を調節することを特徴とする中継制御装置。
【請求項３】
多地点間会議に参加する複数の端末を互いに接続して音声データの中継及び制御を行う中継制御装置であって、
前記端末から送信された音声データから音声を検出し、該音声が検出されなかった場合に、音量を調節する命令を出力する音声検出手段と、
前記音声検出手段によって出力された命令に基づいて、前記端末の音声データの音量を調節する音量制御手段とを有する中継制御装置。
【請求項４】
請求項３に記載した中継制御装置において、
前記音量制御手段は、音声データの検出が行われた端末以外の多地点間会議に参加する少なくとも１つの端末が出力する音声データのうち、音声データの検出が行われた端末の音声データの音量を調節することを特徴とする中継制御装置。
【請求項５】
多地点間会議に参加する複数の端末を互いに接続して音声データの中継及び制御を行う中継制御装置であって、
前記端末から送信された音声データから命令を認識する音声認識手段と、
前記音声認識手段によって認識された命令に基づいて、前記端末の音声データの音量を調節する音量制御手段とを有する中継制御装置。
【請求項６】
請求項５に記載した中継制御装置において、
前記音量制御手段は、音声データから命令を認識された端末以外の多地点間会議に参加する少なくとも１つの端末が出力する音声データのうち、音声データから命令を認識された端末の音声データの音量を調節することを特徴とする中継制御装置。
【請求項７】
多地点間会議に参加する複数の端末を互いに接続して音声データの中継及び制御を行う中継制御装置であって、
前記端末からの音声データの音量を検出し、前に検出された音声データの音量との差分を計算し、該計算の結果に基づいて音量を調節する命令を出力する音量変化検出手段と、
前記音量変化検出手段によって出力された命令に基づいて、前記端末の音声データの音量を調節する音量制御手段とを有する中継制御装置。
【請求項８】
請求項７に記載した中継制御装置において、
前記音量制御手段は、音声データの音量を検出し、前に検出された音声データの音量との差分を計算された端末以外の多地点間会議に参加する少なくとも１つの端末が出力する音声データのうち、音声データの音量を検出し、前に検出された音声データの音量との差分を計算された端末の音声データの音量を調節することを特徴とする中継制御装置。
【請求項９】
請求項１乃至８のいずれか１項に記載の中継制御装置において、
前記音量制御手段によって音量を調節する時間を制限するタイマを有することを特徴とする中継制御装置。
【請求項１０】
請求項１または請求項２に記載の中継制御装置において、
前記命令解読手段によって解読された命令を、音量調節状況として前記端末に通知する音量調節状況通知手段を有することを特徴とする中継制御装置。
【請求項１１】
請求項３または請求項４に記載の中継制御装置において、
前記音声検出手段によって出力された命令を、音量調節状況として前記端末に通知する音量調節状況通知手段を有することを特徴とする中継制御装置。
【請求項１２】
請求項５または請求項６に記載の中継制御装置において、
前記音声認識手段によって認識された命令を、音量調節状況として前記端末に通知する音量調節状況通知手段を有することを特徴とする中継制御装置。
【請求項１３】
請求項７または請求項８に記載の中継制御装置において、
前記音量変化検出手段によって出力された命令を、音量調節状況として前記端末に通知する音量調節状況通知手段を有することを特徴とする中継制御装置。
【請求項１４】
請求項１０乃至１３のいずれか１項に記載の中継制御装置において、
前記音量調節状況通知手段は、音声により音量調節状況を通知することを特徴とする中継制御装置。
【請求項１５】
請求項１０乃至１３のいずれか１項に記載の中継制御装置において、
前記音量調節状況通知手段は、映像により音量調節状況を通知することを特徴とする中継制御装置。
【請求項１６】
多地点間会議に参加する複数の端末と、該複数の端末を互いに接続して音声データの中継及び制御を行う中継制御装置とを少なくとも有してなる多地点間会議システムであって、
前記中継制御装置は、
前記端末から送信された音声データからＤＴＭＦ信号を抽出するＤＴＭＦ信号抽出手段と、
前記ＤＴＭＦ信号抽出手段によって抽出されたＤＴＭＦ信号による命令を解読する命令解読手段と、
前記命令解読手段によって解読された命令に基づいて、前記端末の音声データの音量を調節する音量制御手段とを有する多地点間会議システム。
【請求項１７】
請求項１６に記載した多地点間会議システムにおいて、
前記音量制御手段は、音声データからＤＴＭＦ信号が抽出された端末以外の多地点間会議に参加する少なくとも１つの端末が出力する音声データのうち、音声データからＤＴＭＦ信号が抽出された端末の音声データの音量を調節することを特徴とする多地点間会議システム。
【請求項１８】
多地点間会議に参加する複数の端末と、該複数の端末を互いに接続して音声データの中継及び制御を行う中継制御装置とを少なくとも有してなる多地点間会議システムであって、
前記中継制御装置は、
前記端末から送信された音声データから音声を検出し、該音声が検出されなかった場合に、音量を調節する命令を出力する音声検出手段と、
前記音声検出手段によって出力された命令に基づいて、前記端末の音声データの音量を調節する音量制御手段とを有する多地点間会議システム。
【請求項１９】
請求項１８に記載した多地点間会議システムにおいて、
前記音量制御手段は、音声データの検出が行われた端末以外の多地点間会議に参加する少なくとも１つの端末が出力する音声データのうち、音声データの検出が行われた端末の音声データの音量を調節することを特徴とする多地点間会議システム。
【請求項２０】
多地点間会議に参加する複数の端末と、該複数の端末を互いに接続して音声データの中継及び制御を行う中継制御装置とを少なくとも有してなる多地点間会議システムであって、
前記中継制御装置は、
前記端末から送信された音声データから命令を認識する音声認識手段と、
前記音声認識手段によって認識された命令に基づいて、前記端末の音声データの音量を調節する音量制御手段とを有する多地点間会議システム。
【請求項２１】
請求項２０に記載した多地点間会議システムにおいて、
前記音量制御手段は、音声データから命令を認識された端末以外の多地点間会議に参加する少なくとも１つの端末が出力する音声データのうち、音声データから命令を認識された端末の音声データの音量を調節することを特徴とする多地点間会議システム。
【請求項２２】
多地点間会議に参加する複数の端末と、該複数の端末を互いに接続して音声データの中継及び制御を行う中継制御装置とを少なくとも有してなる多地点間会議システムであって、
前記中継制御装置は、
前記端末からの音声データの音量を検出し、前に検出された音声データの音量との差分を計算し、該計算の結果に基づいて音量を調節する命令を出力する音量変化検出手段と、
前記音量変化検出手段によって出力された命令に基づいて、前記端末の音声データの音量を調節する音量制御手段とを有する多地点間会議システム。
【請求項２３】
請求項２２に記載した多地点間会議システムにおいて、
前記音量制御手段は、音声データの音量を検出し、前に検出された音声データの音量との差分を計算された端末以外の多地点間会議に参加する少なくとも１つの端末が出力する音声データのうち、音声データの音量を検出し、前に検出された音声データの音量との差分を計算された端末の音声データの音量を調節することを特徴とする多地点間会議システム。
【請求項２４】
請求項１６乃至２３のいずれか１項に記載の多地点間会議システムにおいて、
前記中継制御装置は、前記音量制御手段によって音量を調節する時間を制限するタイマを有することを特徴とする多地点間会議システム。
【請求項２５】
請求項１６または請求項１７に記載の多地点間会議システムにおいて、
前記中継制御装置は、前記命令解読手段によって解読された命令を、音量調節状況として前記端末に通知する音量調節状況通知手段と有することを特徴とする多地点間会議システム。
【請求項２６】
請求項１８または請求項１９に記載の多地点間会議システムにおいて、
前記中継制御装置は、前記音声検出手段によって出力された命令を、音量調節状況として前記端末に通知する音量調節状況通知手段と有することを特徴とする多地点間会議システム。
【請求項２７】
請求項２０または請求項２１に記載の多地点間会議システムにおいて、
前記中継制御装置は、前記音声認識手段によって認識された命令を、音量調節状況として前記端末に通知する音量調節状況通知手段と有することを特徴とする多地点間会議システム。
【請求項２８】
請求項２２または請求項２３に記載の多地点間会議システムにおいて、
前記中継制御装置は、前記音量変化検出手段によって出力された命令を、音量調節状況として前記端末に通知する音量調節状況通知手段と有することを特徴とする多地点間会議システム。
【請求項２９】
請求項２５乃至２８のいずれか１項に記載の多地点間会議システムにおいて、
前記音量調節状況通知手段は、音声により音量調節状況を通知することを特徴とする多地点間会議システム。
【請求項３０】
請求項２５乃至２８のいずれか１項に記載の多地点間会議システムにおいて、
前記音量調節状況通知手段は、映像により音量調節状況を通知することを特徴とする多地点間会議システム。
【請求項３１】
多地点間会議に参加する複数の端末と接続された中継制御装置にて、前記端末が送信する音声データを中継する多地点間会議方法であって、
前記端末から送信された音声データを受信し、該音声データからＤＴＭＦ信号を抽出する処理と、
前記抽出されたＤＴＭＦ信号による命令を解読する処理と、
前記解読された命令に基づいて、前記端末の音声データの音量を調節する処理とを有する多地点間会議方法。
【請求項３２】
請求項３１に記載した多地点間会議方法において、
音声データからＤＴＭＦ信号が抽出された端末以外の多地点間会議に参加する少なくとも１つの端末が出力する音声データのうち、音声データからＤＴＭＦ信号が抽出された端末の音声データの音量を調節することを特徴とする多地点間会議方法。
【請求項３３】
多地点間会議に参加する複数の端末と接続された中継制御装置にて、前記端末が送信する音声データを中継する多地点間会議方法であって、
前記端末から送信された音声データから音声を検出し、該音声が検出されなかった場合に、音量を調節する命令を出力する処理と、
前記出力された命令に基づいて、前記端末の音声データの音量を調節する処理とを有する多地点間会議方法。
【請求項３４】
請求項３３に記載した多地点間会議方法において、
音声データの検出が行われた端末以外の多地点間会議に参加する少なくとも１つの端末が出力する音声データのうち、音声データの検出が行われた端末の音声データの音量を調節することを特徴とする多地点間会議方法。
【請求項３５】
多地点間会議に参加する複数の端末と接続された中継制御装置にて、前記端末が送信する音声データを中継する多地点間会議方法であって、
前記端末から送信された音声データから命令を認識する処理と、
前記認識された命令に基づいて、前記端末の音声データの音量を調節する処理とを有する多地点間会議方法。
【請求項３６】
請求項３５に記載した多地点間会議方法において、
音声データから命令を認識された端末以外の多地点間会議に参加する少なくとも１つの端末が出力する音声データのうち、音声データから命令を認識された端末の音声データの音量を調節することを特徴とする多地点間会議方法。
【請求項３７】
多地点間会議に参加する複数の端末と接続された中継制御装置にて、前記端末が送信する音声データを中継する多地点間会議方法であって、
前記端末からの音声データの音量を検出し、前に検出された音声データの音量との差分を計算し、該計算の結果に基づいて音量を調節する命令を出力する処理と、
前記出力された命令に基づいて、前記端末の音声データの音量を調節する処理とを有する多地点間会議方法。
【請求項３８】
請求項３７に記載した多地点間会議方法において、
前記音量制御手段は、音声データの音量を検出し、前に検出された音声データの音量との差分を計算された端末以外の多地点間会議に参加する少なくとも１つの端末が出力する音声データのうち、音声データの音量を検出し、前に検出された音声データの音量との差分を計算された端末の音声データの音量を調節することを特徴とする多地点間会議方法。
【請求項３９】
請求項３１乃至３８のいずれか１項に記載の多地点間会議方法において、
音量を調節する時間を制限する処理を有することを特徴とする多地点間会議方法。
【請求項４０】
請求項３１乃至３８のいずれか１項に記載の多地点間会議方法において、
前記命令を、音声調節状況として前記端末に通知する処理を有することを特徴とする多地点間会議方法。
【請求項４１】
請求項４０に記載の多地点間会議方法において、
前記音量調節状況を音声により通知することを特徴とする多地点間会議方法。
【請求項４２】
請求項４０に記載の多地点間会議方法において、
前記音量調節状況を映像により通知することを特徴とする多地点間会議方法。
【発明の詳細な説明】
【技術分野】
【０００１】
本発明は、多地点に存在し、無線または有線によって接続された複数の端末間にて行う多地点間会議に用いられる中継制御装置、多地点間会議システム及び多地点間会議方法に関する。
【背景技術】
【０００２】
近年、ＡＤＳＬや光などによるネットワークの高速化に伴い、ネットワークを経由し、パケット化された画像や音声の符号化データを通信するＶｏＩＰ（Voice over IP）やＴＶｏＩＰ（TV over IP）と呼ばれる技術を使用した双方向通信システム及び会議システムが急速に普及してきている。それに伴い、複数の端末が接続されて構成される多地点間会議システムについては、専用端末が必要であった従来のシステムから、パソコンを端末として用いたシステムへ移行されつつある。
【０００３】
また、第三世代携帯電話では、回線交換（ＣＳ）方式でのＴＶ電話をサポートしている端末があり、これらの携帯電話端末とＩＰネットワークに接続するＴＶｏＩＰクライアントとを接続するゲートウェイも存在している。これらを用いて、多地点間会議システムに携帯電話端末を使用する動きがある。
【０００４】
多地点間会議システムにおいては、各端末の音量調節が重要課題であり、その音量を調節する方法が考えられている（例えば、特許文献１，２参照。）。
【０００５】
これらの文献に記載された多地点間会議装置は、多地点間会議システムにおいて、会議参加者が、他の会議参加者の声を任意の音量に調節して聞くことができるものであり、自端末以外の他の端末の音声を端末毎に任意の音量に調節する手段と、その音量を調節する情報を多地点間会議制御装置に通知する手段とを有している。また、多地点間会議制御装置は、各端末に音声信号を出力する際、各端末から受信した音量を調節する情報に基づいて、それ以外の端末から受信した音声信号の音量を調節し、各端末に送信する。
【０００６】
また、任意の端末からそれ以外の端末に対して、ＤＴＭＦ（Dial Tone Multi Frequency）信号を使用して、送信される音量を調節する指示を行い、指示された端末において指示された音量で音声を送信する方法も考えられている（例えば、特許文献３，４参照。）。
【特許文献１】特開平５−４８７４７号公報
【特許文献２】特開平１０−１３６１０１号公報
【特許文献３】特開平９−１９１２２０号公報
【特許文献４】特開２００２−３６８８６６号公報
【発明の開示】
【発明が解決しようとする課題】
【０００７】
しかしながら、特許文献１，２に記載された方法については、多地点間会議に参加する各端末に、特別に音量調節信号を生成する機能あるいは装置を設けなければならないという問題点がある。
【０００８】
また、特許文献３，４に記載された方法については、各端末にＤＴＭＦ信号を検出する機能の追加が必要となり、さらに自端末から送信する音量については、自端末自身では調節できないといった問題点がある。
【０００９】
また、上述した音量調節方法では、調節された音量調節状況が、各端末において認識されないため、例えば、自端末がミュート状態に設定されているにもかかわらず、それに気づかず発言してしまい、その発言内容が他の端末に届かないといった問題点がある。
【００１０】
本発明は、上述したような従来の技術が有する問題点を鑑みてなされたものであって、多地点間会議において容易な調節により各端末から適切な音量で話すことができ、また、各端末からの音声を適切な音量で聞くことができ、さらに、その音量調節状況を端末上で確認することができる中継制御装置、多地点間会議システム及び多地点間会議方法を提供することを目的とする。
【課題を解決するための手段】
【００１１】
上記目的を達成するために本発明は、
多地点間会議に参加する複数の端末を互いに接続して音声データの中継及び制御を行う中継制御装置であって、
前記端末から送信された音声データからＤＴＭＦ信号を抽出するＤＴＭＦ信号抽出手段と、
前記ＤＴＭＦ信号抽出手段によって抽出されたＤＴＭＦ信号による命令を解読する命令解読手段と、
前記命令解読手段によって解読された命令に基づいて、前記端末の音声データの音量を調節する音量制御手段とを有する。
【００１２】
また、前記音量制御手段は、音声データからＤＴＭＦ信号が抽出された端末以外の多地点間会議に参加する少なくとも１つの端末が出力する音声データのうち、ＤＴＭＦ信号が抽出された端末の音声データの音量を調節することを特徴とする。
【００１３】
また、多地点間会議に参加する複数の端末を互いに接続して音声データの中継及び制御を行う中継制御装置であって、
前記端末から送信された音声データから音声を検出し、該音声が検出されなかった場合に、音量を調節する命令を出力する音声検出手段と、
前記音声検出手段によって出力された命令に基づいて、前記端末の音声データの音量を調節する音量制御手段とを有する。
【００１４】
また、前記音量制御手段は、音声データの検出が行われた端末以外の多地点間会議に参加する少なくとも１つの端末が出力する音声データのうち、音声データの検出が行われた端末の音声データの音量を調節することを特徴とする。
【００１５】
また、多地点間会議に参加する複数の端末を互いに接続して音声データの中継及び制御を行う中継制御装置であって、
前記端末から送信された音声データから命令を認識する音声認識手段と、
前記音声認識手段によって認識された命令に基づいて、前記端末の音声データの音量を調節する音量制御手段とを有する。
【００１６】
また、前記音量制御手段は、音声データから命令を認識された端末以外の多地点間会議に参加する少なくとも１つの端末が出力する音声データのうち、音声データから命令を認識された端末の音声データの音量を調節することを特徴とする。
【００１７】
また、多地点間会議に参加する複数の端末を互いに接続して音声データの中継及び制御を行う中継制御装置であって、
前記端末からの音声データの音量を検出し、前に検出された音声データの音量との差分を計算し、該計算の結果に基づいて音量を調節する命令を出力する音量変化検出手段と、
前記音量変化検出手段によって出力された命令に基づいて、前記端末の音声データの音量を調節する音量制御手段とを有する。
【００１８】
また、前記音量制御手段は、音声データの音量を検出し、前に検出された音声データの音量との差分を計算された端末以外の多地点間会議に参加する少なくとも１つの端末が出力する音声データのうち、音声データの音量を検出し、前に検出された音声データの音量との差分を計算された端末の音声データの音量を調節することを特徴とする。
【００１９】
また、前記音量制御手段によって音量を調節する時間を制限するタイマを有することを特徴とする。
【００２０】
また、前記命令解読手段によって解読された命令を、音量調節状況として前記端末に通知する音量調節状況通知手段を有することを特徴とする。
【００２１】
また、前記音声検出手段によって出力された命令を、音量調節状況として前記端末に通知する音量調節状況通知手段を有することを特徴とする。
【００２２】
また、前記音声認識手段によって認識された命令を、音量調節状況として前記端末に通知する音量調節状況通知手段を有することを特徴とする。
【００２３】
また、前記音量変化検出手段によって出力された命令を、音量調節状況として前記端末に通知する音量調節状況通知手段を有することを特徴とする。
【００２４】
また、前記音量調節状況通知手段は、音声により音量調節状況を通知することを特徴とする。
【００２５】
また、前記音量調節状況通知手段は、映像により音量調節状況を通知することを特徴とする。
【００２６】
また、多地点間会議に参加する複数の端末と、該複数の端末を互いに接続して音声データの中継及び制御を行う中継制御装置とを少なくとも有してなる多地点間会議システムであって、
前記中継制御装置は、
前記端末から送信された音声データからＤＴＭＦ信号を抽出するＤＴＭＦ信号抽出手段と、
前記ＤＴＭＦ信号抽出手段によって抽出されたＤＴＭＦ信号による命令を解読する命令解読手段と、
前記命令解読手段によって解読された命令に基づいて、前記端末の音声データの音量を調節する音量制御手段とを有する。
【００２７】
また、前記音量制御手段は、音声データからＤＴＭＦ信号が抽出された端末以外の多地点間会議に参加する少なくとも１つの端末が出力する音声データのうち、音声データからＤＴＭＦ信号が抽出された端末の音声データの音量を調節することを特徴とする。
【００２８】
また、多地点間会議に参加する複数の端末と、該複数の端末を互いに接続して音声データの中継及び制御を行う中継制御装置とを少なくとも有してなる多地点間会議システムであって、
前記中継制御装置は、
前記端末から送信された音声データから音声を検出し、該音声が検出されなかった場合に、音量を調節する命令を出力する音声検出手段と、
前記音声検出手段によって出力された命令に基づいて、前記端末の音声データの音量を調節する音量制御手段とを有する。
【００２９】
また、前記音量制御手段は、音声データの検出が行われた端末以外の多地点間会議に参加する少なくとも１つの端末が出力する音声データのうち、音声データの検出が行われた端末の音声データの音量を調節することを特徴とする。
【００３０】
また、多地点間会議に参加する複数の端末と、該複数の端末を互いに接続して音声データの中継及び制御を行う中継制御装置とを少なくとも有してなる多地点間会議システムであって、
前記中継制御装置は、
前記端末から送信された音声データから命令を認識する音声認識手段と、
前記音声認識手段によって認識された命令に基づいて、前記端末の音声データの音量を調節する音量制御手段とを有する。
【００３１】
また、前記音量制御手段は、音声データから命令を認識された端末以外の多地点間会議に参加する少なくとも１つの端末が出力する音声データのうち、音声データから命令を認識された端末の音声データの音量を調節することを特徴とする。
【００３２】
また、地点間会議に参加する複数の端末と、該複数の端末を互いに接続して音声データの中継及び制御を行う中継制御装置とを少なくとも有してなる多地点間会議システムであって、
前記中継制御装置は、
前記端末からの音声データの音量を検出し、前に検出された音声データの音量との差分を計算し、該計算の結果に基づいて音量を調節する命令を出力する音量変化検出手段と、
前記音量変化検出手段によって出力された命令に基づいて、前記端末の音声データの音量を調節する音量制御手段とを有する。
【００３３】
また、前記音量制御手段は、音声データの音量を検出し、前に検出された音声データの音量との差分を計算された端末以外の多地点間会議に参加する少なくとも１つの端末が出力する音声データのうち、音声データの音量を検出し、前に検出された音声データの音量との差分を計算された端末の音声データの音量を調節することを特徴とする。
【００３４】
また、前記中継制御装置は、前記音量制御手段によって音量を調節する時間を制限するタイマを有することを特徴とする。
【００３５】
また、前記中継制御装置は、前記命令解読手段によって解読された命令を、音量調節状況として前記端末に通知する音量調節状況通知手段と有することを特徴とする。
【００３６】
また、前記中継制御装置は、前記音声検出手段によって出力された命令を、音量調節状況として前記端末に通知する音量調節状況通知手段と有することを特徴とする。
【００３７】
また、前記中継制御装置は、前記音声認識手段によって認識された命令を、音量調節状況として前記端末に通知する音量調節状況通知手段と有することを特徴とする。
【００３８】
また、前記中継制御装置は、前記音量変化検出手段によって出力された命令を、音量調節状況として前記端末に通知する音量調節状況通知手段と有することを特徴とする。
【００３９】
また、前記音量調節状況通知手段は、音声により音量調節状況を通知することを特徴とする。
【００４０】
また、前記音量調節状況通知手段は、映像により音量調節状況を通知することを特徴とする。
【００４１】
また、多地点間会議に参加する複数の端末と接続された中継制御装置にて、前記端末が送信する音声データを中継する多地点間会議方法であって、
前記端末から送信された音声データを受信し、該音声データからＤＴＭＦ信号を抽出する処理と、
前記抽出されたＤＴＭＦ信号による命令を解読する処理と、
前記解読された命令に基づいて、前記端末の音声データの音量を調節する処理とを有する。
【００４２】
また、音声データからＤＴＭＦ信号が抽出された端末以外の多地点間会議に参加する少なくとも１つの端末が出力する音声データのうち、音声データからＤＴＭＦ信号が抽出された端末の音声データの音量を調節することを特徴とする。
【００４３】
また、多地点間会議に参加する複数の端末と接続された中継制御装置にて、前記端末が送信する音声データを中継する多地点間会議方法であって、
前記端末から送信された音声データから音声を検出し、該音声が検出されなかった場合に、音量を調節する命令を出力する処理と、
前記出力された命令に基づいて、前記端末の音声データの音量を調節する処理とを有する。
【００４４】
また、音声データの検出が行われた端末以外の多地点間会議に参加する少なくとも１つの端末が出力する音声データのうち、音声データの検出が行われた端末の音声データの音量を調節することを特徴とする。
【００４５】
また、多地点間会議に参加する複数の端末と接続された中継制御装置にて、前記端末が送信する音声データを中継する多地点間会議方法であって、
前記端末から送信された音声データから命令を認識する処理と、
前記認識された命令に基づいて、前記端末の音声データの音量を調節する処理とを有する。
【００４６】
また、音声データから命令を認識された端末以外の多地点間会議に参加する少なくとも１つの端末が出力する音声データのうち、音声データから命令を認識された端末の音声データの音量を調節することを特徴とする。
【００４７】
また、多地点間会議に参加する複数の端末と接続された中継制御装置にて、前記端末が送信する音声データを中継する多地点間会議方法であって、
前記端末からの音声データの音量を検出し、前に検出された音声データの音量との差分を計算し、該計算の結果に基づいて音量を調節する命令を出力する処理と、
前記出力された命令に基づいて、前記端末の音声データの音量を調節する処理とを有する。
【００４８】
また、前記音量制御手段は、音声データの音量を検出し、前に検出された音声データの音量との差分を計算された端末以外の多地点間会議に参加する少なくとも１つの端末が出力する音声データのうち、音声データの音量を検出し、前に検出された音声データの音量との差分を計算された端末の音声データの音量を調節することを特徴とする。
【００４９】
また、音量を調節する時間を制限する処理を有することを特徴とする。
【００５０】
また、前記命令を、音声調節状況として前記端末に通知する処理を有することを特徴とする。
【００５１】
また、前記音量調節状況を音声により通知することを特徴とする。
【００５２】
また、前記音量調節状況を映像により通知することを特徴とする。
【００５３】
上記のように構成された本発明においては、多地点間会議に参加する複数の端末を互いに接続して音声データの中継及び制御を行う中継制御装置において、端末から送信された音声データの中からＤＴＭＦ信号が抽出され、抽出されたＤＴＭＦ信号による命令が解読され、解読された命令にしたがって音声データの音量が調節される。
【００５４】
このように、多地点間会議に参加する端末の音声データの音量を端末に特別な機能を追加することなく調節することができる。
【発明の効果】
【００５５】
以上説明したように本発明においては、中継制御装置において端末から送信された音声データの中からＤＴＭＦ信号を抽出し、抽出されたＤＴＭＦ信号による命令を解読し、解読された命令にしたがって音声データの音量を調節する構成としたため、多地点間会議において容易な調節により各端末から適切な音量で話すことができ、また、各端末からの音声を適切な音量で聞くことができる。
【発明を実施するための最良の形態】
【００５６】
以下に、本発明の実施の形態について図面を参照して説明する。
【００５７】
（第１の実施の形態）
図１は、本発明の多地点間会議システムの実施の一形態を示す図である。
【００５８】
本形態は図１に示すように、中継制御装置１０１と、中継制御装置１０１を介して接続された複数の端末１０２−１〜１０２−ｎとから構成されており、各端末１０２−１〜１０２−ｎは多地点間会議システムを利用した多地点間会議に参加可能となっている。
【００５９】
図２は、図１に示した多地点間会議システムにおける中継制御装置１０１の第１の実施の形態を示す図である。
【００６０】
図２に示すように本形態における中継制御装置１０１は、端末１０２−１〜１０２−ｎから音声ストリーム信号をそれぞれ受信して出力する受信部２０１−１〜２０１−ｎと、受信部２０１−１〜２０１−ｎから出力された音声ストリーム信号を内部で処理するための内部入力信号にデコードして出力するデコーダ２０２−１〜２０２−ｎと、デコーダ２０２−１〜２０２−ｎから出力された内部入力信号からＤＴＭＦ信号を抽出し、内部入力信号をＤＴＭＦ信号と音声データに分け、検出されたＤＴＭＦ信号を解読し、解読された命令信号を出力するＤＴＭＦ信号抽出命令解読部２０３−１〜２０３−ｎと、ＤＴＭＦ信号抽出命令解読部２０３−１〜２０３−ｎから出力された命令信号に基づいて各端末の音声データの音量を調節し、調整された音量の音声データを内部出力信号として出力するミキサ２０４−１〜２０４−ｎと、ミキサ２０４−１〜２０４−ｎから出力された内部出力信号を音声ストリーム信号に変換して出力するエンコーダ２０５−１〜２０５−ｎと、エンコーダ２０５−１〜２０５−ｎから出力された音声ストリーム信号が入力され、端末１０２−１〜１０２−ｎへ送信する送信部２０６−１〜２０６−ｎと、これらを制御する制御部２０７とから構成されている。
【００６１】
図３は、図２に示した中継制御装置１０１におけるＤＴＭＦ信号抽出命令解読部２０３−１の構成を示す図である。
【００６２】
図３に示すようにＤＴＭＦ信号抽出命令解読部２０３−１は、デコーダ２０２−１から出力された内部入力信号からＤＴＭＦ信号を検出し、ＤＴＭＦ信号と音声データとを分けて出力するＤＴＭＦ信号抽出部３０１と、ＤＴＭＦ信号抽出部３０１から出力されたＤＴＭＦ信号の命令を解読して命令信号を出力する命令解読部３０２とから構成されている。なお、ＤＴＭＦ信号抽出命令解読部２０３−２〜２０３−ｎについても同様の構成とする。
【００６３】
図４は、図２に示した中継制御装置１０１におけるミキサ２０４−１の構成を示す図である。なお、ミキサ２０４−２〜２０４−ｎについても同様の構成とする。
【００６４】
図４に示すようにミキサ２０４−１は、図２に示した中継制御装置１０１のＤＴＭＦ信号抽出命令解読部２０３−１〜２０３−ｎからそれぞれ出力された命令信号により、各端末の音声データの音量を調節して出力する命令処理部４０１−１〜４０１−ｎと、命令処理部４０１−１〜４０１−ｎから出力された各音声データを合成して内部出力信号として出力する合成部４０２とから構成されている。
【００６５】
図５は、図４に示した命令処理部４０１−１の構成を示す図である。なお、命令処理部４０１−２〜４０１−ｎについても同様の構成とする。
【００６６】
図５に示すように命令処理部４０１−１は、ＤＴＭＦ信号抽出命令解読部２０３−１〜２０３−ｎからそれぞれ出力された命令信号及びＤＴＭＦ信号抽出命令解読部２０３−１から出力された音声データが入力され、入力された命令信号と制御部２０７との指示により、入力された音声データを無音データや別のデータに置換するストリーム置換部５０１と、入力された命令信号と制御部２０７との指示により、入力された音声データの音量を調節する音量制御部５０２とから構成されている。
【００６７】
ここで、別のデータとは、例えば白色雑音やＢＧＭ等のデータを表す。
【００６８】
以下に、上記のように構成された多地点間会議システムの第１の実施の形態における多地点間会議方法について説明する。
【００６９】
図６は、図１〜５に示した多地点間会議システムにおける多地点間会議方法を説明するためのフローチャートである。
【００７０】
まず、多地点間会議に参加している端末１０２−１から、他の端末１０２−２〜１０２−ｎの音量を調節するためのＤＴＭＦ信号が音声ストリームに重畳されて送信される（ステップＳ１）。なお、端末１０２−１〜１０２−ｎのどのキーを押すと、どの端末１０２−１〜１０２−ｎからの音量をどのように調節できるかが、予めシステム全体で決められており、制御部２０７内に設定されている。
【００７１】
端末１０２−１から送信された音声ストリーム信号は、中継制御装置１０１の受信部２０１−１にて受信される（ステップＳ２）。受信された音声ストリーム信号はデコーダ２０２−１へ出力され、デコーダ２０２−１において、内部で処理するための内部入力信号にデコードされる（ステップＳ３）。
【００７２】
デコードされた内部入力信号は、デコーダ２０２−１からＤＴＭＦ信号抽出命令解読部２０３−１へ出力され、ＤＴＭＦ信号抽出命令解読部２０３−１に入力された内部入力信号は、ＤＴＭＦ信号抽出命令解読部２０３−１内のＤＴＭＦ信号抽出部３０１において、通常の音声データかＤＴＭＦ信号かが判断される（ステップＳ４）。
【００７３】
ＤＴＭＦ信号抽出部３０１においてＤＴＭＦ信号であると判断された信号は、命令解読部３０２へ出力され、命令解読部３０２において、制御部２０７に予め設定された内容に基づいて命令が解読され（ステップＳ５）、解読された内容が命令信号としてミキサ２０４−１〜２０４−ｎへ出力される。一方、ＤＴＭＦ信号抽出部３０１において音声と判断された音声データも、ミキサ２０４−１〜２０４−ｎへ出力される。なお、他の端末１０２−２〜１０２−ｎから送信された音声データについても、ステップＳ２〜Ｓ５と同様の処理が行われ、ミキサ２０４−１〜２０４−ｎへ出力される。
【００７４】
ミキサ２０４−１へ出力された命令信号及び各音声データは、ミキサ２０４−１内の各命令処理部４０１−１〜４０１−ｎに入力され、それぞれ命令信号に基づいて、その音声データが無音データや別のデータへストリーム置換されるデータか、入力された音声データの音量調節用のデータかが判断される（ステップＳ６）。
【００７５】
ストリーム置換されるデータであると判断された場合、ストリーム置換部５０１において、音声データが無音データや別のデータへストリーム置換され、合成部４０２へ出力される（ステップＳ７）。また、音量調節用のデータと判断された場合は、入力された音声データの音量が命令信号により調節され、合成部４０２へ出力される（ステップＳ８）。
【００７６】
また、他の端末１０２−２〜１０２−ｎからそれぞれ送信された命令信号については、ステップＳ６〜Ｓ８と同様の処理が行われることにより、他の端末１０２−２〜１０２−ｎから送信された命令信号に基づいて、各音声データは無音データや別のデータへストリーム置換され、または、音量が調節され、合成部４０２へ出力される。
【００７７】
上述したストリーム置換されたデータと、音量が調節された音声データとが、合成部４０２において内部出力信号として合成され（ステップＳ９）、エンコーダ２０５−１へ出力される。
【００７８】
エンコーダ２０５−１において、内部出力信号は再び音声ストリーム信号にエンコードされ（ステップＳ１０）、送信部２０６−１へ出力される。
【００７９】
送信部２０６−１に入力された音声ストリーム信号は、端末１０２−１に送信され（ステップＳ１１）、端末１０２−１にて受信される（ステップＳ１２）。
【００８０】
なお、ＤＴＭＦ信号検出命令処理部２０３−２〜２０３−ｎについても、ＤＴＭＦ信号検出命令処理部２０３−１と同様の処理を行い、また、ミキサ２０４−２〜２０４−ｎについても、ミキサ２０４−１と同様の処理を行う。
【００８１】
（第２の実施の形態）
第１の実施の形態に示したもののように、端末からＤＴＭＦ信号を送信して音量を調節するのではなく、端末からの音声データに音声が検出されない場合に、音声データに対して所定の処理を行うことも考えられる。
【００８２】
図７は、図１に示した多地点間会議システムにおける中継制御装置１０１の第２の実施の形態を示す図である。
【００８３】
図７に示すように、本形態における中継制御装置１０１は、図２に示した中継制御装置１０１におけるＤＴＭＦ信号検出命令処理部２０３−１〜２０３−ｎが音声検出処理部７０３−１〜７０３−ｎに置き換わったものである。
【００８４】
図８は、図７に示した音声検出処理部７０３−１の構成を示す図である。なお、音声検出処理部７０３−２〜７０３−ｎについても同様の構成とする。
【００８５】
図８に示すように音声検出処理部７０３−１は、入力された内部入力信号に音声データがあるかどうかが判断される音声検出部８０１から構成されている。
【００８６】
以下に、上記のように構成された多地点間会議システムの第２の実施の形態における多地点間会議方法について説明する。
【００８７】
図９は、図１に示した多地点間会議システムに図７及び図８に示した中継制御装置１０１を用いた場合における多地点間会議方法を説明するためのフローチャートである。
【００８８】
まず、多地点間会議に参加している端末１０２−１から音声ストリームが送信される（ステップＳ２１）。
【００８９】
端末１０２−１から送信された音声ストリーム信号は、中継制御装置１０１の受信部２０１−１にて受信される（ステップＳ２２）。受信された音声ストリーム信号はデコーダ２０２−１へ出力され、デコーダ２０２−１において、内部で処理するための内部入力信号にデコードされる（ステップＳ２３）。
【００９０】
デコードされた内部入力信号は、デコーダ２０２−１から音声検出処理部７０３−１へ出力され、音声検出処理部７０３−１に入力された内部入力信号は、音声検出処理部７０３−１内の音声検出部８０１において、音声の検出処理が行われる（ステップＳ２４）。
【００９１】
音声検出部８０１において音声が検出された場合は、音声としてミキサ２０４−１〜２０４−ｎへ出力される。また、音声が検出されなかった場合は、制御部２０７に予め設定された命令が音声検出部８０１から命令信号としてミキサ２０４−１〜２０４−ｎへ出力される（ステップＳ２５）。
【００９２】
なお、他の端末１０２−２〜１０２−ｎから送信された音声データについても、ステップＳ２２〜Ｓ２５と同様の処理が行われ、ミキサ２０４−１〜２０４−ｎへ出力される。
【００９３】
ミキサ２０４−１へ出力された命令信号及び各音声データは、ミキサ２０４−１内の各命令処理部４０１−１〜４０１−ｎに入力され、それぞれ命令信号に基づいて、その音声データが無音データや別のデータへストリーム置換されるデータか、入力された音声データの音量調節用のデータかが判断される（ステップＳ２６）。
【００９４】
ストリーム置換されるデータであると判断された場合、ストリーム置換部５０１において、音声データが無音データや別のデータへストリーム置換され、合成部４０２へ出力される（ステップＳ２７）。また、音量調節用のデータと判断された場合は、入力された音声データの音量が命令信号により調節され、合成部４０２へ出力される（ステップＳ２８）。
【００９５】
また、他の端末１０２−２〜１０２−ｎからそれぞれ送信された命令信号については、ステップＳ２６〜Ｓ２８と同様の処理が行われることにより、他の端末１０２−２〜１０２−ｎから送信された命令信号に基づいて、各音声データは無音データや別のデータへストリーム置換され、または、音量が調節され、合成部４０２へ出力される。
【００９６】
上述したストリーム置換されたデータと、音量が調節された音声データとが、合成部４０２において内部出力信号として合成され（ステップＳ２９）、エンコーダ２０５−１へ出力される。
【００９７】
エンコーダ２０５−１において、内部出力信号は再び音声ストリーム信号にエンコードされ（ステップＳ３０）、送信部２０６−１へ出力される。
【００９８】
送信部２０６−１に入力された音声ストリーム信号は、端末１０２−１に送信され（ステップＳ３１）、端末１０２−１にて受信される（ステップＳ３２）。
【００９９】
なお、音声検出処理部７０３−２〜７０３−ｎについても、音声検出処理部７０３−１と同様の処理を行い、また、ミキサ２０４−２〜２０４−ｎについても、ミキサ２０４−１と同様の処理を行う。
【０１００】
（第３の実施の形態）
第１の実施の形態に示したもののように、端末からＤＴＭＦ信号を送信して音量を調節するのではなく、端末からの特定の音声データにより指示を行い、音声データの音量を調節することも考えられる。
【０１０１】
図１０は、図１に示した多地点間会議システムにおける中継制御装置１０１の第３の実施の形態を示す図である。
【０１０２】
図１０に示すように、本形態における中継制御装置１０１は、図２に示した中継制御装置１０１におけるＤＴＭＦ信号検出命令処理部２０３−１〜２０３−ｎが音声認識命令解読部１００３−１〜１００３−ｎに置き換わったものである。
【０１０３】
図１１は、図１０に示した音声認識命令解読部１００３−１の構成を示す図である。なお、音声認識命令解読部１００３−２〜１００３−ｎについても同様の構成とする。
【０１０４】
図１１に示すように音声認識命令解読部１００３−１は、入力された内部入力信号の音声を認識し、特定の音声について命令信号に変換する音声認識部１１０１から構成されている。
【０１０５】
以下に、上記のように構成された多地点間会議システムの第３の実施の形態における多地点間会議方法について説明する。
【０１０６】
図１２は、図１に示した多地点間会議システムに図１０及び図１１に示した中継制御装置１０１を用いた場合における多地点間会議方法を説明するためのフローチャートである。
【０１０７】
まず、多地点間会議に参加している端末１０２−１から音声ストリームが送信される（ステップＳ４１）。
【０１０８】
端末１０２−１から送信された音声ストリーム信号は、中継制御装置１０１の受信部２０１−１にて受信される（ステップＳ４２）。受信された音声ストリーム信号はデコーダ２０２−１へ出力され、デコーダ２０２−１において、内部で処理するための内部入力信号にデコードされる（ステップＳ４３）。
【０１０９】
デコードされた内部入力信号は、デコーダ２０２−１から音声認識命令処理部１００３−１へ出力され、音声認識命令処理部１００３−１に入力された内部入力信号は、音声認識命令処理部１００３−１内の音声認識部１１０１において、音声データの認識が行われる（ステップＳ４４）。音声認識については、制御部２０７に予め命令として設定されている音声が認識された場合、命令信号に変換され、ミキサ２０４−１〜２０４−ｎへ出力される（ステップＳ４５）。例えば、「小さく」という音声が認識された場合、音量を小さくする命令に変換されて出力される。
【０１１０】
また、音声認識部１１０１において命令信号に変換されなかった音声データについてもミキサ２０４−１〜２０４−ｎへ出力される。
【０１１１】
なお、他の端末１０２−２〜１０２−ｎから送信された音声データについても、ステップＳ４２〜Ｓ４５と同様の処理が行われ、ミキサ２０４−１〜２０４−ｎへ出力される。
【０１１２】
ミキサ２０４−１へ出力された命令信号及び各音声データは、ミキサ２０４−１内の各命令処理部４０１−１〜４０１−ｎに入力され、それぞれ命令信号に基づいて、その音声データが無音データや別のデータへストリーム置換されるデータか、入力された音声データの音量調節用のデータかが判断される（ステップＳ４６）。
【０１１３】
ストリーム置換されるデータであると判断された場合、ストリーム置換部５０１において、音声データが無音データや別のデータへストリーム置換され、合成部４０２へ出力される（ステップＳ４７）。また、音量調節用のデータと判断された場合は、入力された音声データの音量が命令信号により調節され、合成部４０２へ出力される（ステップＳ４８）。
【０１１４】
また、他の端末１０２−２〜１０２−ｎからそれぞれ送信された命令信号については、ステップＳ４６〜Ｓ４８と同様の処理が行われることにより、他の端末１０２−２〜１０２−ｎから送信された命令信号に基づいて、各音声データは無音データや別のデータへストリーム置換され、または、音量が調節され、合成部４０２へ出力される。
【０１１５】
上述したストリーム置換されたデータと、音量が調節された音声データとが、合成部４０２において内部出力信号として合成され（ステップＳ４９）、エンコーダ２０５−１へ出力される。
【０１１６】
エンコーダ２０５−１において、内部出力信号は再び音声ストリーム信号にエンコードされ（ステップＳ５０）、送信部２０６−１へ出力される。
【０１１７】
送信部２０６−１に入力された音声ストリーム信号は、端末１０２−１に送信され（ステップＳ５１）、端末１０２−１にて受信される（ステップＳ５２）。
【０１１８】
なお、音声認識命令解読部１００３−２〜１００３−ｎについても、音声認識命令解読部１００３−１と同様の処理を行い、また、ミキサ２０４−２〜２０４−ｎについても、ミキサ２０４−１と同様の処理を行う。
【０１１９】
（第４の実施の形態）
第１の実施の形態に示したもののように、端末からＤＴＭＦ信号を送信して音量を調節するのではなく、端末からの音量の変化量に基づいて、自動的に音声データの音量を調節することも考えられる。
【０１２０】
図１３は、図１に示した多地点間会議システムにおける中継制御装置１０１の第４の実施の形態を示す図である。
【０１２１】
図１３に示すように、本形態における中継制御装置１０１は、図２に示した中継制御装置１０１におけるＤＴＭＦ信号検出命令処理部２０３−１〜２０３−ｎが音量検出処理部１３０３−１〜１３０３−ｎに置き換わったものである。
【０１２２】
図１４は、図１３に示した音量検出処理部１３０３−１の構成を示す図である。なお、音量検出処理部１３０３−２〜１３０３−ｎについても同様の構成とする。
【０１２３】
図１４に示すように音量検出処理部１３０３−１は、入力された内部入力信号の音声データの音量を検出し、前の音声データの音量との差分を計算し、その計算の結果に基づいて音声データの音量の調節を行う命令を出力する音量変化検出部１４０１から構成されている。
【０１２４】
以下に、上記のように構成された多地点間会議システムの第４の実施の形態における多地点間会議方法について説明する。
【０１２５】
図１５は、図１に示した多地点間会議システムに図１３及び図１４に示した中継制御装置１０１を用いた場合における多地点間会議方法を説明するためのフローチャートである。
【０１２６】
まず、多地点間会議に参加している端末１０２−１から音声ストリームが送信される（ステップＳ６１）。
【０１２７】
端末１０２−１から送信された音声ストリーム信号は、中継制御装置１０１の受信部２０１−１にて受信される（ステップＳ６２）。受信された音声ストリーム信号はデコーダ２０２−１へ出力され、デコーダ２０２−１において、内部で処理するための内部入力信号にデコードされる（ステップＳ６３）。
【０１２８】
デコードされた内部入力信号は、デコーダ２０２−１から音量検出処理部１３０３−１へ出力され、音量検出処理部１３０３−１に入力された内部入力信号は、音量検出処理部１３０３−１内の音量変化検出部１４０１において、音量が検出され、前の音声データの音量との差分が計算され、計算された差分値が制御部２０７に予め設定されている条件を満たしているか判断される（ステップＳ６４）。
【０１２９】
音量変化検出部１４０１において検出された差分値が、制御部２０７に予め設定されている条件を満たしていると判断された場合、その条件に基づき変換された命令信号と、音声データとがミキサ２０４−１〜２０４−ｎへ出力される。
【０１３０】
また、音量変化検出部１４０１において検出された差分値が、制御部２０７に予め設定されている条件を満たしていないと判断された音声データについてもミキサ２０４−１〜２０４−ｎへ出力される。
【０１３１】
なお、他の端末１０２−２〜１０２−ｎから送信された音声データについても、ステップＳ６２〜Ｓ６４と同様の処理が行われ、ミキサ２０４−１〜２０４−ｎへ出力される。
【０１３２】
ミキサ２０４−１へ出力された命令信号及び各音声データは、ミキサ２０４−１内の各命令処理部４０１−１〜４０１−ｎに入力され、それぞれ命令信号に基づいて、その音声データが無音データや別のデータへストリーム置換されるデータか、入力された音声データの音量調節用のデータかが判断される（ステップＳ６５）。
【０１３３】
ストリーム置換されるデータであると判断された場合、ストリーム置換部５０１において、音声データが無音データや別のデータへストリーム置換され、合成部４０２へ出力される（ステップＳ６６）。また、音量調節用のデータと判断された場合は、入力された音声データの音量が命令信号により調節され、合成部４０２へ出力される（ステップＳ６７）。
【０１３４】
また、条件を満たしていないと判断された音声データについては、音量が調節されずに合成部４０２へ出力される。
【０１３５】
また、他の端末１０２−２〜１０２−ｎからそれぞれ送信された命令信号については、ステップＳ６５〜Ｓ６７と同様の処理が行われることにより、他の端末１０２−２〜１０２−ｎから送信された命令信号に基づいて、各音声データは無音データや別のデータへストリーム置換され、または、音量が調節され、合成部４０２へ出力される。
【０１３６】
上述したストリーム置換されたデータ、音量が調節された音声データ、及び条件を満たしていないと判断されたために音量が調節されなかった音声データが、合成部４０２において内部出力信号として合成され（ステップＳ６８）、エンコーダ２０５−１へ出力される。
【０１３７】
エンコーダ２０５−１において、内部出力信号は再び音声ストリーム信号にエンコードされ（ステップＳ６９）、送信部２０６−１へ出力される。
【０１３８】
送信部２０６−１に入力された音声ストリーム信号は、端末１０２−１に送信され（ステップＳ７０）、端末１０２−１にて受信される（ステップＳ７１）。
【０１３９】
なお、音量検出処理部１３０３−２〜１３０３−ｎについても、音量検出処理部１３０３−１と同様の処理を行い、また、ミキサ２０４−２〜２０４−ｎについても、ミキサ２０４−１と同様の処理を行う。
【０１４０】
（第５の実施の形態）
第１の実施の形態に示したものに、音量を調節する時間を制限する構成を付加することも考えられる。
【０１４１】
図１６は、図１に示した多地点間会議システムにおける中継制御装置１０１の第５の実施の形態を示す図である。
【０１４２】
図１６に示すように、本形態における中継制御装置１０１は、図２に示したものに対して、制御部２０７に音量を制御するためのタイマ１６０２が接続されている点が異なるものである。
【０１４３】
以下に、上記のように構成された多地点間会議システムの第５の実施の形態における多地点間会議方法について説明する。
【０１４４】
図１７は、図１に示した多地点間会議システムに図１６に示した中継制御装置１０１を用いた場合における多地点間会議方法を説明するためのフローチャートである。
【０１４５】
まず、多地点間会議に参加している端末１０２−１から、他の端末１０２−２〜１０２−ｎの音量を調節するためのＤＴＭＦ信号が音声ストリームに重畳されて送信される（ステップＳ８１）。ここで、端末１０２−１〜１０２−ｎのどのキーを押すと、どの端末１０２−１〜１０２−ｎからの音量をどのように調節できるかが、予めシステム全体で決められており、制御部２０７内に設定されている。
【０１４６】
端末１０２−１から送信された音声ストリーム信号は、中継制御装置１０１の受信部２０１−１にて受信される（ステップＳ８２）。受信された音声ストリーム信号はデコーダ２０２−１へ出力され、デコーダ２０２−１において、内部で処理するための内部入力信号にデコードされる（ステップＳ８３）。
【０１４７】
デコードされた内部入力信号は、デコーダ２０２−１からＤＴＭＦ信号抽出命令解読部２０３−１へ出力され、ＤＴＭＦ信号抽出命令解読部２０３−１に入力された内部入力信号は、ＤＴＭＦ信号抽出命令解読部２０３−１内のＤＴＭＦ信号抽出部３０１において、通常の音声データかＤＴＭＦ信号かが判断される（ステップＳ８４）。
【０１４８】
ＤＴＭＦ信号抽出部３０１においてＤＴＭＦ信号であると判断された信号は、命令解読部３０２へ出力され、命令解読部３０２において、制御部２０７に予め設定された内容に基づいて命令が解読され（ステップＳ８５）、解読された内容が命令信号としてミキサ２０４−１〜２０４−ｎへ出力される。一方、ＤＴＭＦ信号抽出部３０１において音声と判断された音声データも、ミキサ２０４−１〜２０４−ｎへ出力される。なお、他の端末１０２−２〜１０２−ｎから送信された音声データについても、ステップＳ８２〜Ｓ８５と同様の処理が行われ、ミキサ２０４−１〜２０４−ｎへ出力される。
【０１４９】
ミキサ２０４−１へ出力された命令信号及び各音声データは、ミキサ２０４−１内の命令処理部４０１−１〜４０１−ｎに入力される。
【０１５０】
次に、入力された命令信号に基づいた命令が、実行される時間内にあるかどうかを判断するタイマ１６０２が起動中かどうか判断される（ステップＳ８６）。起動中でない場合、制御部２０７によってタイマ１６０２が起動される（ステップＳ８７）。
【０１５１】
タイマ１６０２が起動中である場合、その命令が予め決められた命令実行可能時間内であるかどうかが判断され（ステップＳ８８）、時間外であると判断された場合は、タイマ１６０２が停止され、入力された音声データはそのまま合成部４０２へ出力される（ステップＳ８９）。
【０１５２】
また、ステップＳ８８において、時間内であると判断された場合は、それぞれ命令信号に基づいて、その音声データが無音データや別のデータへストリーム置換されるデータか、入力された音声データの音量調節用のデータかが判断される（ステップＳ９０）。
【０１５３】
ストリーム置換されるデータであると判断された場合、ストリーム置換部５０１において、音声データが無音データや別のデータへストリーム置換され、合成部４０２へ出力される（ステップＳ９１）。また、音量調節用のデータと判断された場合は、入力された音声データの音量が命令信号により調節され、合成部４０２へ出力される（ステップＳ９２）。
【０１５４】
また、他の端末１０２−２〜１０２−ｎからそれぞれ送信された命令信号については、ステップＳ９０〜Ｓ９２と同様の処理が行われることにより、他の端末１０２−２〜１０２−ｎから送信された命令信号に基づいて、各音声データは無音データや別のデータへストリーム置換され、または、音量が調節され、合成部４０２へ出力される。
【０１５５】
上述したストリーム置換されたデータ、音量が調節された音声データ、及びステップＳ８８において時間外と判断されてそのまま出力された音声データが、合成部４０２において内部出力信号として合成され（ステップＳ９３）、エンコーダ２０５−１へ出力される。
【０１５６】
エンコーダ２０５−１において、内部出力信号は再び音声ストリーム信号にエンコードされ（ステップＳ９４）、送信部２０６−１へ出力される。
【０１５７】
送信部２０６−１に入力された音声ストリーム信号は、端末１０２−１に送信され（ステップＳ９５）、端末１０２−１にて受信される（ステップＳ９６）。
【０１５８】
なお、ＤＴＭＦ信号検出命令処理部２０３−２〜２０３−ｎについても、ＤＴＭＦ信号検出命令処理部２０３−１と同様の処理を行い、また、ミキサ２０４−２〜２０４−ｎについても、ミキサ２０４−１と同様の処理を行う。
【０１５９】
また、本形態において示したタイマ１６０２を、上述した第１〜４の実施の形態にて示した中継制御装置１０１に適用することも考えられる。
【０１６０】
（第６の実施の形態）
第１の実施の形態に示したものに、音量を調節した状況を端末に通知する構成を付加することも考えられる。
【０１６１】
図１８は、図１及び図２に示した多地点間会議システムの中継制御装置１０１の第６の実施の形態におけるミキサ２０４−１の構成を示す図である。ここでは、音声調節状況の通知方法として音声信号に重畳して送信する例を示している。また、ミキサ２０４−２〜２０４−ｎについても同様の構成とする。
【０１６２】
図１８に示すように本形態におけるミキサ２０４−１は、図２に示した中継制御装置１０１のＤＴＭＦ信号抽出命令解読部２０３−１〜２０３−ｎからそれぞれ出力された命令信号により、各音声データの音量を調節して出力する命令処理部４０１−１〜４０１−ｎと、ＤＴＭＦ信号抽出命令解読部２０３−１〜２０３−ｎからそれぞれ出力された命令信号が入力され、入力された命令信号を、端末１０２−１に対して音声調節状況を通知するために図２に示した中継制御装置１０１の制御部２０７に予め設定された形式の音声調節状況信号に変換して出力する音量調節状況通知手段である命令信号通知部１８０１と、命令処理部４０１−１〜４０１−ｎから出力された音声データと命令信号通知部１８０１から出力された音声調節状況信号とを合成して内部出力信号として出力する合成部４０２とから構成されている。
【０１６３】
以下に、上記のように構成された多地点間会議システムの第６の実施の形態における多地点間会議方法について説明する。
【０１６４】
図１９は、図１及び図２に示した多地点間会議システムに図１８に示したミキサ２０４−１を用いた場合における多地点間会議方法を説明するためのフローチャートである。
【０１６５】
まず、多地点間会議に参加している端末１０２−１から、他の端末１０２−２〜１０２−ｎの音量を調節するためのＤＴＭＦ信号が音声ストリームに重畳されて送信される（ステップＳ１０１）。ここで、端末１０２−１〜１０２−ｎのどのキーを押すと、どの端末１０２−１〜１０２−ｎからの音量をどのように調節できるかが、予めシステム全体で決められており、制御部２０７内に設定されている。
【０１６６】
端末１０２−１から送信された音声ストリーム信号は、中継制御装置１０１の受信部２０１−１にて受信される（ステップＳ１０２）。受信された音声ストリーム信号はデコーダ２０２−１へ出力され、デコーダ２０２−１において、内部で処理するための内部入力信号にデコードされる（ステップＳ１０３）。
【０１６７】
デコードされた内部入力信号は、デコーダ２０２−１からＤＴＭＦ信号抽出命令解読部２０３−１へ出力され、ＤＴＭＦ信号抽出命令解読部２０３−１に入力された内部入力信号は、ＤＴＭＦ信号抽出命令解読部２０３−１内のＤＴＭＦ信号抽出部３０１において、通常の音声データかＤＴＭＦ信号かが判断される（ステップＳ１０４）。
【０１６８】
ＤＴＭＦ信号抽出部３０１においてＤＴＭＦ信号であると判断された信号は、命令解読部３０２へ出力され、命令解読部３０２において、制御部２０７に予め設定された内容に基づいて命令が解読され（ステップＳ１０５）、解読された内容が命令信号としてミキサ２０４−１〜２０４−ｎへ出力される。一方、ＤＴＭＦ信号抽出部３０１において音声と判断された音声データも、ミキサ２０４−１〜２０４−ｎへ出力される。なお、他の端末１０２−２〜１０２−ｎから送信された命令データ及び音声データについても、ステップＳ１０２〜Ｓ１０５と同様の処理が行われ、ミキサ２０４−１〜２０４−ｎへ出力される。
【０１６９】
ミキサ２０４−１へ出力された各命令信号及び各音声データは、ミキサ２０４−１内の各命令処理部４０１−１〜４０１−ｎに入力され、それぞれ命令信号に基づいて、その音声データが無音データや別のデータへストリーム置換されるデータか、入力された音声データの音量調節用のデータかが判断される（ステップＳ１０６）。
【０１７０】
また、各命令信号については、ミキサ２０４−１内の命令信号通知部１８０１に入力され、命令信号通知部１８０１において各命令信号に基づいて行った音量調節状況を端末１０２−１に通知するための形式に変換され、音声調節状況信号として合成部４０２へ出力される（ステップＳ１０７）。
【０１７１】
また、ステップＳ１０６において、ストリーム置換されるデータであると判断された場合、ストリーム置換部５０１において、音声データが無音データや別のデータへストリーム置換され、合成部４０２へ出力される（ステップＳ１０８）。また、音量調節用のデータと判断された場合は、入力された音声データの音量が命令信号により調節され、合成部４０２へ出力される（ステップＳ１０９）。
【０１７２】
また、他の端末１０２−２〜１０２−ｎからそれぞれ送信された命令信号については、ステップＳ１０６，Ｓ１０８，Ｓ１０９と同様の処理が行われることにより、他の端末１０２−２〜１０２−ｎから送信された命令信号に基づいて、各音声データは無音データや別のデータへストリーム置換され、または、音量が調節され、合成部４０２へ出力される。
【０１７３】
上述した音声調節状況信号、ストリーム置換されたデータ、及び音量が調節された音声データが、合成部４０２において内部出力信号として合成され（ステップＳ１１０）、エンコーダ２０５−１へ出力される。
【０１７４】
エンコーダ２０５−１において、内部出力信号は再び音声ストリーム信号にエンコードされ（ステップＳ１１１）、送信部２０６−１へ出力される。
【０１７５】
送信部２０６−１に入力された音声ストリーム信号は、端末１０２−１に送信され（ステップＳ１１２）、端末１０２−１にて受信される（ステップＳ１１３）。
【０１７６】
なお、ＤＴＭＦ信号検出命令処理部２０３−２〜２０３−ｎについても、ＤＴＭＦ信号検出命令処理部２０３−１と同様の処理を行い、また、ミキサ２０４−２〜２０４−ｎについても、ミキサ２０４−１と同様の処理を行う。
【０１７７】
以下に、ステップＳ１０７において説明した音量調節状況の通知方法について、詳細に説明する。
【０１７８】
上述した例では、現在の音量調節状況が端末１０２−１へ音声によって通知される例を示した。例えば、端末１０２−１がミュート状態に設定されている場合に、命令信号通知部１８０１においてミュート状態という命令信号がピッという音等の特定の音へ変換され、合成部４０２において通常の音声データに合成されて送信されることにより、現在の音量調節状況を端末１０２−１に通知することができる。特定の音でなくても、音楽が合成されて通知されるものでも良い。
【０１７９】
また、数種類の音や音楽を使用することにより、端末１０２−１の音量調節状況だけでなく、端末１０２−１によって設定された他の端末１０２−２〜１０２−ｎの音量調節状況や、他の端末１０２−２〜１０２−ｎによって設定された自端末１０２−１の音量調節状況が通知されることも可能である。
【０１８０】
音声による音量調節状況の通知では、通知する音量調節状況の数が多い場合、識別が容易ではなくなるため、映像による通知を行うことも考えられる。
【０１８１】
例えば、端末１０２−１〜１０２−ｎに映像ストリーム機能が具備されている場合、端末１０２−１〜１０２−ｎのそれぞれの音量調節状況が、アイコン、文字列や記号等が画面の一部に表示されることにより通知が行われる。アイコン、文字列や記号等は、半透明の表示でも良い。
【０１８２】
また、ある閾値が設定されることにより、音量が閾値よりも大きな場合は画面の一部を明るくしたり、音量が閾値よりも小さな場合は画面の一部を暗くしたりといった輝度の変化による通知も考えられる。
【０１８３】
映像による通知は、音声による通知に比べて、多くの情報を表示できるため、自端末１０２−１からの設定による音量調節状況のほかに、他の端末１０２−２〜１０２−ｎからの設定による音量調節状況についても通知が可能となる。そのため、各端末１０２−１〜１０２−ｎにおいて認識が音声による通知に比べて容易となる。
【０１８４】
図２０は、図２に示した中継制御装置１０１における制御部２０７において、音量調節状況の通知方法を判断する処理を説明するフローチャートである。
【０１８５】
制御部２０７において、音量調節状況を各端末１０２−１〜１０２−ｎへ通知する通知方法が判断される（ステップＳ１２１）。制御部２０７における判断基準は、通知対象の端末や接続されている端末の数等によって判断するプログラムを制御部２０７に予め格納しておき、そのプログラムに基づいて行うものでも良いし、各端末１０２−１〜１０２−ｎから予め申請された通知方法が制御部２０７に設定されており、その設定内容に基づいて行うものでも良い。
【０１８６】
制御部２０７において、音声通知であると判断された場合は、音量調節状況が音声によって通知され（ステップＳ１２２）、映像通知であると判断された場合は、音量調節状況が映像によって通知される（ステップＳ１２３）。
【０１８７】
また、音声による通知と映像による通知が共存することも考えられる。
【０１８８】
また、本形態にて説明したミキサ２０４−１を、第１〜５の実施の形態に示した中継制御装置１０１にも適用できることは言うまでもない。
【０１８９】
なお、上述した第１〜６の実施の形態において説明した多地点間会議方法では、端末１０２−１から他の端末１０２−２〜１０２−ｎの音量を調節する処理を示したが、例えば、端末１０２−２から端末１０２−１，１０２−３〜１０２−ｎといったように、お互いの端末からの設定が可能である。また、端末１０２−１〜１０２−ｎから、自端末または他の端末へ出力する音量を調節することも可能である。
【図面の簡単な説明】
【０１９０】
【図１】本発明の多地点間会議システムの実施の一形態を示す図である。
【図２】図１に示した多地点間会議システムにおける中継制御装置の第１の実施の形態を示す図である。
【図３】図２に示した中継制御装置におけるＤＴＭＦ信号抽出命令解読部の構成を示す図である。
【図４】図２に示した中継制御装置におけるミキサの構成を示す図である。
【図５】図４に示した命令処理部の構成を示す図である。
【図６】図１〜５に示した多地点間会議システムにおける多地点間会議方法を説明するためのフローチャートである。
【図７】図１に示した多地点間会議システムにおける中継制御装置の第２の実施の形態を示す図である。
【図８】図７に示した音声検出処理部の構成を示す図である。
【図９】図１に示した多地点間会議システムに図７及び図８に示した中継制御装置を用いた場合における多地点間会議方法を説明するためのフローチャートである。
【図１０】図１に示した多地点間会議システムにおける中継制御装置の第３の実施の形態を示す図である。
【図１１】図１０に示した音声認識命令解読部の構成を示す図である。
【図１２】図１に示した多地点間会議システムに図１０及び図１１に示した中継制御装置を用いた場合における多地点間会議方法を説明するためのフローチャートである。
【図１３】図１に示した多地点間会議システムにおける中継制御装置の第４の実施の形態を示す図である。
【図１４】図１３に示した音量検出処理部の構成を示す図である。
【図１５】図１に示した多地点間会議システムに図１３及び図１４に示した中継制御装置を用いた場合における多地点間会議方法を説明するためのフローチャートである。
【図１６】図１に示した多地点間会議システムにおける中継制御装置の第５の実施の形態を示す図である。
【図１７】図１に示した多地点間会議システムに図１６に示した中継制御装置を用いた場合における多地点間会議方法を説明するためのフローチャートである。
【図１８】図１及び図２に示した多地点間会議システムの中継制御装置の第６の実施の形態におけるミキサの構成を示す図である。
【図１９】図１及び図２に示した多地点間会議システムに図１８に示したミキサを用いた場合における多地点間会議方法を説明するためのフローチャートである。
【図２０】図２に示した中継制御装置における制御部において、音量調節状況の通知方法を判断する処理を説明するフローチャートである。
【符号の説明】
【０１９１】
１０１    中継制御装置
１０２−１〜１０２−ｎ    端末
２０１−１〜２０１−ｎ    受信部
２０２−１〜２０２−ｎ    デコーダ
２０３−１〜２０３−ｎ    ＤＴＭＦ信号抽出命令解読部
２０４−１〜２０４−ｎ    ミキサ
２０５−１〜２０５−ｎ    エンコーダ
２０６−１〜２０６−ｎ    送信部
２０７    制御部
３０１    ＤＴＭＦ信号抽出部
３０２    命令解読部
４０１−１〜４０１−ｎ    命令処理部
４０２    合成部
５０１    ストリーム置換部
５０２    音量制御部
８０１    音声検出部
９０３−１〜９０３−ｎ    音声認識命令解読部
１１０１    音声認識部
１３０３−１〜１３０３−ｎ    音量検出処理部
１４０１    音量変化検出部
１６０２    タイマ
１８０１    命令信号通知部
【図１】
2006148816.tif 000003
【図２】
2006148816.tif 000004
【図３】
2006148816.tif 000005
【図４】
2006148816.tif 000006
【図５】
2006148816.tif 000007
【図６】
2006148816.tif 000008
【図７】
2006148816.tif 000009
【図８】
2006148816.tif 000010
【図９】
2006148816.tif 000011
【図１０】
2006148816.tif 000012
【図１１】
2006148816.tif 000013
【図１２】
2006148816.tif 000014
【図１３】
2006148816.tif 000015
【図１４】
2006148816.tif 000016
【図１５】
2006148816.tif 000017
【図１６】
2006148816.tif 000018
【図１７】
2006148816.tif 000019
【図１８】
2006148816.tif 000020
【図１９】
2006148816.tif 000021
【図２０】
2006148816.tif 000022